(57)【特許請求の範囲】
【請求項１】
釣糸同士を接続するための釣用サルカンであって、釣糸を結合するための釣糸結合部を有するサルカン本体と、前記釣糸結合部を少なくとも部分的に覆うように前記サルカン本体に取り付けられるカバー体とを備え、前記カバー体には釣糸が係止される釣糸係止部が設けられることを特徴とする釣用サルカン。
【請求項２】
前記カバー体が前記サルカン本体に対して回転可能に取り付けられることを特徴とする請求項１に記載の釣用サルカン。
【請求項３】
前記カバー体は、前記釣糸結合部の最大幅部位が前記カバー体の内側に位置されるように前記釣糸結合部を外側から覆うことを特徴とする請求項１または請求項２に記載の釣用サルカン。
【請求項４】
前記カバー体の前記釣糸係止部は、前記カバー体の長手軸方向に沿って延びる釣糸挿通孔と、該釣糸挿通孔に挿通される釣糸を前記カバー体の側方へと案内する案内部と、該案内部によって案内される釣糸を前記カバー体の外部に導出するための側孔とを有することを特徴とする請求項１ないし請求項３のいずれか１項に記載の釣用サルカン。
【請求項５】
釣糸を結合するための釣糸結合部を有する釣用サルカンに着脱自在に取り付けられるサルカン用カバーであって、前記釣糸結合部を少なくとも部分的に覆うように前記釣用サルカンに取り付けられるとともに、釣糸が係止される釣糸係止部を有することを特徴とするサルカン用カバー。
【請求項６】
前記釣糸結合部の最大幅部位をカバーの内側に位置させるように前記釣糸結合部を外側から覆うことを特徴とする請求項５に記載のサルカン用カバー。
【請求項７】
前記釣糸係止部は、カバーの長手軸方向に沿って延びる釣糸挿通孔と、該釣糸挿通孔に挿通される釣糸をカバーの側方へと案内する案内部と、該案内部によって案内される釣糸をカバー体の外部に導出するための側孔とを有することを特徴とする請求項５または請求項６に記載のサルカン用カバー。
【発明の詳細な説明】
【技術分野】
【０００１】
本発明は、釣糸同士を接続するために用いられる釣用サルカン、および、そのような釣用サルカンに用いることができるサルカン用カバーに関する。
【背景技術】
【０００２】
従来から、釣糸同士を接続するための釣用サルカンは様々な形態のものが知られている。図５には、そのような釣用サルカンの一例が示されている（特許文献１参照）。
【０００３】
すなわち、図５に示される釣用サルカン１００は、金属製のサルカン本体１０２の両端に止め環１０４，１０６が設けられて構成されており、各止め環１０４，１０６はサルカン本体１０２に対して例えば回転可能に連結されている。そして、使用時には、例えば、図５の（ｂ）に示されるように、一方の止め環１０４に対して釣糸としての道糸１１０が結合されるとともに、他方の止め環１０６に対して釣糸としてのハリス１１２が結合される。
【先行技術文献】
【特許文献】
【０００４】
【特許文献１】特開平９−１７２９２１号公報
【発明の概要】
【発明が解決しようとする課題】
【０００５】
ところで、図５に示されるような典型的な釣用サルカン１００では、サルカン本体１０２と止め環１０４，１０６との間にくびれ部１２０が形成されている。そのため、例えば、実釣における仕掛け投入時や水中での仕掛け誘導時などにおいて釣糸１１０，１１２がふけると、ふけた釣糸１１０，１１２がくびれ部１２０に絡む場合がある。
【０００６】
本発明は、前記事情に着目してなされたものであり、その目的とするところは、結合される釣糸の絡みを防止できる釣用サルカンおよびサルカン用カバーを提供することにある。
【課題を解決するための手段】
【０００７】
前記課題を解決するために、請求項１に記載の発明は、釣糸同士を接続するための釣用サルカンであって、釣糸を結合するための釣糸結合部を有するサルカン本体と、前記釣糸結合部を少なくとも部分的に覆うように前記サルカン本体に取り付けられるカバー体とを備え、前記カバー体には釣糸が係止される釣糸係止部が設けられることを特徴とする。
【０００８】
この請求項１に記載の釣用サルカンによれば、釣糸結合部を少なくとも部分的に覆うカバー体が設けられるため、釣糸結合部に関連するくびれ部がサルカン本体に存在する場合であっても、当該くびれ部をカバー体によって覆うことが可能となり、釣糸結合部に結合される釣糸がくびれ部に絡み付くのを防止できる。
【０００９】
また、請求項２に記載の釣用サルカンは、請求項１に記載の釣用サルカンにおいて、前記カバー体が前記サルカン本体に対して回転可能に取り付けられることを特徴とする。
【００１０】
この請求項２に記載の釣用サルカンによれば、請求項１に記載の釣用サルカンと同様の作用効果が得られるとともに、カバー体がサルカン本体に対して回転可能であるため、釣糸結合部に結合される釣糸の撚れを防止できる。
【００１１】
また、請求項３に記載の釣用サルカンは、請求項１または請求項２に記載の釣用サルカンにおいて、前記カバー体は、前記釣糸結合部の最大幅部位が前記カバー体の内側に位置されるように前記釣糸結合部を外側から覆うことを特徴とする。
【００１２】
この請求項３に記載の釣用サルカンによれば、請求項１または請求項２に記載の釣用サルカンと同様の作用効果が得られるとともに、釣糸結合部の最大幅部位がカバー体の内側に位置されるため、釣糸結合部に関連して最小幅のくびれ部が形成される場合には、そのくびれ部をカバー体の内側に確実に位置させることができ、くびれ部に伴う釣糸の絡みを確実に防止できる。
【００１３】
また、請求項４に記載の釣用サルカンは、請求項１ないし請求項３のいずれか１項に記載の釣用サルカンにおいて、前記カバー体の前記釣糸係止部は、前記カバー体の長手軸方向に沿って延びる釣糸挿通孔と、該釣糸挿通孔に挿通される釣糸を前記カバー体の側方へと案内する案内部と、該案内部によって案内される釣糸を前記カバー体の外部に導出するための側孔とを有することを特徴とする。
【００１４】
この請求項４に記載の釣用サルカンによれば、請求項１ないし請求項３のいずれか１項に記載の釣用サルカンと同様の作用効果が得られるとともに、釣糸を釣糸挿通孔に通して案内部から側孔へと導出し、その導出端部に結び目を形成して釣糸を再び引き戻すだけで、釣糸を釣糸係止部に係止させることができるため、釣糸の結び方を知らない初心者であっても釣用サルカンに対する釣糸の結合を容易に行なうことができる。また、釣糸挿通孔がカバー体の長手軸方向に沿って延びているため、サルカンに対して釣糸を結合した状態で釣糸の延在方向とサルカンの長手方向とを略一致させることができる（釣糸結合状態でサルカンが釣糸の延在方向に対して傾くことを防止できる）。
【００１５】
また、本発明は、前記カバー体と同様の特徴を有するサルカン用カバー、すなわち、釣糸を結合するための釣糸結合部を有する釣用サルカンに着脱自在に取り付けられるサルカン用カバーであって、前記釣糸結合部を少なくとも部分的に覆うように前記釣用サルカンに取り付けられるとともに、釣糸が係止される釣糸係止部を有することを特徴とするサルカン用カバーも提供する。
【発明の効果】
【００１６】
本発明によれば、結合される釣糸の絡みを防止できる釣用サルカンおよびサルカン用カバーを提供できる。
【図面の簡単な説明】
【００１７】
【図１】（ａ）は本発明の第１の実施形態に係る釣用サルカンの側面図、（ｂ）は当該釣用サルカンの断面図、（ｃ）は当該釣用サルカンの釣糸結合部の構成の変形例を示す部分断面図である。
【図２】（ａ）は本発明の第２の実施形態に係る釣用サルカンの断面図、（ｂ）は当該釣用サルカンの下面図、（ｃ）は当該釣用サルカンのカバー体の端部の先細り形状部分の部分側面図である。
【図３】カバー体の釣糸係止部に釣糸を係止させる手順を示す要部拡大断面図である。
【図４】（ａ）は本発明の第３の実施形態に係る釣用サルカン（およびサルカン用カバー）の側面図、（ｂ）は当該釣用サルカン（およびサルカン用カバー）の断面図、（ｃ）は釣用サルカンに対するカバー体（またはサルカン用カバー）の取り付けを示す断面図である。
【図５】（ａ）は従来の釣用サルカンの側面図、（ｂ）は（ａ）のサルカンに釣糸を結合した状態を示す側面図である。
【発明を実施するための形態】
【００１８】
以下、添付図面を参照して、本発明に係る釣用サルカンの実施形態について説明する。
図１には本発明の第１の実施形態に係る釣用サルカン１が示されている。図示のように、本実施形態に係る釣用サルカン１は、釣糸同士を接続するためのものであり、釣糸、例えばハリス１２を結合するための釣糸結合部６を有するサルカン本体２と、サルカン本体２に取り付けられるカバー体４とを備える。サルカン本体２は、例えば金属製の円筒体５と、円筒体５の一端（図では下端）に回転可能に連結される環状の釣糸結合部６とを有する。釣糸結合部６は、その環状部から延びる軸部６ａを回転軸として回転可能であり、該軸部６ａが円筒体５の第１の貫通孔５ａを通じて円筒体５の内側に挿入されて折り曲げられることにより円筒体５に対して回転可能に連結される。また、この連結状態では、軸部６ａの周囲には、円筒体５と釣糸結合部６の環状部との間にくびれ部Ｐが形成される。なお、このように軸部６ａが釣糸結合部６の環状部と一体に形成されていなくても良く、例えば図１の（ｃ）に示されるように、釣糸結合部６とは別体の軸体２０が円筒体５に回転可能に連結され、この軸体２０に設けられる通孔２０ａに環状の釣糸結合部６が挿通して連結されていても良い。
【００１９】
また、円筒体５の他端（図では上端）にも更なる回転軸部７が回転可能に連結されている。この軸部７も、円筒体５の第２の貫通孔５ｂを通じて円筒体５の内側に挿入されて折り曲げられることにより円筒体５に対して回転可能に連結されており、円筒体５の外側に突出するその突出端部にカバー体４が取り付け固定される。カバー体４と軸部７とを取り付け固定する手段としては、軸部７をカバー体４に埋設して固定すること、例えば圧着や接着等を挙げることができる。要は、カバー体４と軸部７とが一体回転するように取り付けられれば良い。
【００２０】
軸部７を介してサルカン本体２に回転可能に取り付けられるカバー体４は、合成樹脂、例えばＰＣやＡＢＳにより筒状体として形成され、その筒状体の一端（図では上端）は閉塞されている。また、この閉塞端には、釣糸、例えば道糸１０が係止される釣糸係止部３０が設けられる。特に本実施形態では、釣糸係止部３０が、前記閉塞端に設けられるボス部２１に穿設される貫通穴として形成され、ボス部２１には釣糸係止部３０に結合される釣糸１０の絡みを回避するために先細り形状のテーパ面１９が形成されている。
【００２１】
また、カバー体４は、釣糸結合部６を少なくとも部分的に覆うように（軸部７を介して）サルカン本体２に取り付けられる。具体的には、カバー体４は、その内側に少なくとも釣糸結合部６のくびれ部Ｐが位置されるように、好ましくは釣糸結合部６の最大幅部位（環状部の外径幅Ｗを有する部位）６ｂがカバー体４の内側に位置されるように（したがって、カバー体４の他端（図では下端）である開放端の端面４ａが釣糸結合部６の最大幅部位６ｂを超えて下側に延在するように）、釣糸結合部６の一部およびサルカン本体２の全体を外側から覆ってサルカン本体２に取り付けられる。
【００２２】
以上説明したように、本実施形態の釣用サルカン１によれば、釣糸結合部６を少なくとも部分的に覆うカバー体４が設けられるため、本実施形態のように釣糸結合部６に関連してサルカン本体２に存在するくびれ部Ｐをカバー体４によって覆うことが可能となり、釣糸結合部６に結合される釣糸がくびれ部Ｐに絡み付くのを防止できる。特に本実施形態では、釣糸結合部６の最大幅部位６ｂがカバー体４の内側に位置されるため、釣糸結合部６に関連して存在する最小幅のくびれ部Ｐをカバー体４の内側に確実に位置させることができ、くびれ部Ｐに伴う釣糸の絡みを確実に防止できる。また、本実施形態の釣用サルカン１によれば、カバー体４がサルカン本体２に対して回転可能であるため、釣糸結合部６に結合される釣糸の撚れを防止できる。
【００２３】
図２および図３は本発明の第２の実施形態を示している。図示のように、本実施形態の釣用サルカンのカバー体４Ａは、第１の実施形態における前述したボス部２１およびテーパ面１９を更に誇張させた形状を成している。すなわち、カバー体４Ａは、釣糸係止部３０Ａが設けられるその端部外周面が先細り形状を成し、先端側全体が略紡錘形状を形作るテーパ面２２として形成されている。そして、この全体的に突出する先細り形状部分には、単なる穴ではない複合的形態の釣糸係止部３０Ａが設けられる。
【００２４】
具体的に、本実施形態の釣糸係止部３０Ａは、カバー体４Ａの長手軸方向に沿って延びる釣糸挿通孔３０ａと、釣糸挿通孔３０ａに挿通される釣糸をカバー体４Ａの側方へと案内する案内部としてのガイド面３０ｂと、該ガイド面３０ｂによって案内される釣糸をカバー体４Ａの外部に導出するための側孔３０ｃとを有する。この場合、釣糸挿通孔３０ａは、カバー体４Ａの上端（先細り形状の尖端部）の開口部からサルカン本体２に向かって軸方向に延びている。また、ガイド面３０ｂは、釣糸挿通孔３０ａと交差するようにカバー体４Ａの周側面間を貫いて側孔３０ｃを形成する貫通孔３９の内周面の底部によって形成されており、釣糸挿通孔３０ａに挿通された釣糸がそのまま側孔３０ｃへ向けて誘導されるように釣糸挿通孔３０ａに連通して側孔３０ｃへ向けて斜め下向きに（釣糸挿通孔３０ａから離れるように斜めに）延びている。なお、カバー体４Ａ以外の構成は第１の実施形態と同じである。
【００２５】
このように、本実施形態の釣用サルカンのカバー体４Ａは、釣糸係止部３０Ａに結合される釣糸の絡みがその先細り形状（テーパ面２２）によって効果的に防止されることは無論のこと、特徴的形態の釣糸係止部３０Ａによって釣糸係止部３０Ａに対する釣糸の係止が容易になる。すなわち、本実施形態の釣糸係止部３０Ａでは、図３の（ａ）に示されるように釣糸１０を釣糸挿通孔３０ａに通してガイド面３０ｂから側孔３０ｃへと導出した後、その導出端部に図３の（ｂ）に示されるように結び目（結びこぶ）１０ａを形成して釣糸１０を再び引き戻すだけで、釣糸１０を釣糸係止部３０Ａに係止させる（図３の（ｂ）の実線の状態を参照・・・結び目１０ａが貫通孔３９の内側に位置される）ことができるため、釣糸１０の結び方を知らない初心者であっても釣用サルカンに対する釣糸の結合を容易に行なうことができる。また、釣糸挿通孔３０ａがカバー体４Ａの長手軸方向に沿って延びているため、サルカンに対して釣糸１０を結合した状態で釣糸１０の延在方向とサルカンの長手方向とを略一致させることができる（釣糸結合状態でサルカンが釣糸の延在方向に対して傾くことを防止できる）。
【００２６】
図４は本発明の第３の実施形態を示している。本実施形態では、第１および第２の実施形態のカバー体４，４Ａ、特に第２の実施形態のカバー体４Ａをサルカン本体２に対して着脱できるようになっている。このような着脱は、軸部７とカバー体４，４Ａとを着脱式にすること、例えば何らかの固定手段（ネジや固定ピン）により軸部７とカバー体４，４Ａとを着脱自在に取り付けることにより実現できるが、本実施形態では、そのような着脱構造をより明確に示すために、サルカン本体が既存の釣用サルカン、すなわち、サルカン本体を構成する円筒体５の両端に環状の釣糸結合部６，８が回転可能に設けられた釣用サルカンに対して、別体のカバー体としてのサルカン用カバー４Ｂを着脱自在に取り付ける場合について説明する。
【００２７】
すなわち、本実施形態では、円筒体５の両端に軸部６ｂ，８ａを介して環状の釣糸結合部６，８が回転可能に連結されて成る釣用サルカンに対し、その一方の釣糸結合部、例えば釣糸結合部８を利用して固定ピン（固定手段）６０によりサルカン用カバー４Ｂが着脱自在に取り付けられる。具体的には、サルカン用カバー４Ｂを釣用サルカン上にわたってこれを覆うように被着し、サルカン用カバー４Ｂの内側の嵌合溝４ｃに釣用サルカンの環状の釣糸結合部８を嵌め込んだ状態で、固定ピン６０を釣糸結合部８の環状部の内側に通すようにサルカン用カバー４Ｂの側面を貫く貫通孔４ｂに押し通すと、サルカン用カバー４Ｂが釣用サルカンに取り付け固定される。この取り付け状態では、サルカン用カバー４Ｂが釣糸結合部８と一体で釣用サルカンに対して回転できる。
【００２８】
なお、サルカン用カバー４Ｂは、固定ピン６０を挿通するための貫通孔４ｂが設けられ且つ釣糸結合部８の環状部分が嵌まり込む嵌合溝４ｃが内面に形成されている以外、第２の実施形態のカバー体４Ａと同じ構造を有している。したがって、釣糸係止部３０Ａの特徴的形態に伴う釣糸結合の容易性、および、カバー４Ｂが、その内側に少なくとも釣糸結合部６のくびれ部Ｐが位置されるように、好ましくは釣糸結合部６の最大幅部位６ｂがカバー体４の内側に位置されるように、釣糸結合部６の一部およびサルカン本体５の全体を外側から覆って釣用サルカンに取り付けられる点は、第２の実施形態と同じである。
【００２９】
このように、本実施形態では、サルカン用カバー４Ｂ（またはカバー体４，４Ａ）が釣用サルカン（またはサルカン本体）に対して着脱自在であるため、釣用サルカンの利便性が向上する。特に本実施形態では、釣用サルカン（またはサルカン本体）に対するカバー(カバー体)の回転可能な着脱を既存の部品を用いて効率的に実現できる。
【符号の説明】
【００３０】
１  釣用サルカン
４，４Ａ  カバー体
６，８  釣糸結合部
３０，３０Ａ  釣糸係止部
３０ａ  釣糸挿通孔
３０ｂ  案内部
３０ｃ  側孔
４Ｂ  サルカン用カバー
【図１】
0005395760.tif 000002
【図２】
0005395760.tif 000003
【図３】
0005395760.tif 000004
【図４】
0005395760.tif 000005
【図５】
0005395760.tif 000006